(57)【要約】【課題】吸引性に優れていて比較的大型の昆虫の強制吸引が可能で捕獲能力が高く、捕獲袋が外部に配置される構成のためにその大きさに制限がなく、目詰まりしにくいものとなる長寿命で経済的な吸引式捕虫器を提供することを課題とする。【解決手段】シロッコファン２を内蔵した本体ケース１と、本体ケース１上に立設されて本体ケース１内と連通状態にされる吸引筒３と、本体ケース１の裏面に突設される吹出口４に嵌め付けられる捕獲袋５とから成り、吸引筒３は、本体ケース１の上面に形成される開口を囲んで上方に伸びる中空筒であって、その正面中央部に上下に伸びる凹陥部８が形成されてそこに誘引蛍光灯９が縦向きに取り付けられ、凹陥部８の奥面に、誘引蛍光灯９の両側面に沿うようにして多数の吸引スリット１０が、縦方向に適宜間隔置きに配設される。【選択図】図１
2016202137.tif 000002
【特許請求の範囲】
【請求項１】
シロッコファンを内蔵した本体ケースと、前記本体ケース上に立設されて前記本体ケース内と連通状態にされる吸引筒と、前記本体ケースの裏面に突設される吹出口に嵌め付けられる捕獲袋とから成り、
前記吸引筒は、前記本体ケースの上面に形成される開口を囲んで上方に伸びる中空筒であって、その正面中央部に上下に伸びる凹陥部が形成されてそこに誘引蛍光灯が縦向きに取り付けられ、前記凹陥部の奥面に、前記誘引蛍光灯の両側面に沿うようにして多数の吸引スリットが、縦方向に適宜間隔置きに配設されていることを特徴とする吸引式捕虫器。
【請求項２】
前記凹陥部は断面台形状に形成される、請求項１に記載の吸引式捕虫器。
【請求項３】
前記凹陥部の前面側は鏡面効果のあるステンレス材とされる、請求項１又は２に記載の吸引式捕虫器。
【請求項４】
前記本体ケース又は吸引筒の適宜箇所に誘引音波発生器が配備される、請求項１乃至３のいずれかに記載の吸引式捕虫器。
【発明の詳細な説明】
【技術分野】
【０００１】
本発明は、吸引式捕虫器に関するものであり、より詳細には、例えば、食品工場、医薬品工場、容器包材工場等のように、商品に昆虫類が混入することを回避する必要のある場所に設置される吸引式捕虫器に関するものである。
【背景技術】
【０００２】
捕虫器としては、例えば、内面に粘着性を持たせた断面半円形のケース内に、誘引灯を配置した粘着捕虫方式のものが一般的であるが、吸引により生きたまま捕虫する吸引式捕虫装置も知られている（特許第５１１７９２２号公報、特許第５１９３９５９号公報）。この吸引式捕虫装置は、基本的には、吸引スリットを穿設した筒体と、誘引灯と、プロペラ式の吸引ファンと、吸引した昆虫類を回収する捕獲袋とを備えて構成される。
【０００３】
しかるに、従来提案されている吸引式捕虫装置の場合は、吸引手段としてプロペラ式の吸引ファンが用いられるために吸引力が弱く、また、吸引スリットが１つの縦長のものであって、吸引力が分散するために吸引性に劣り、大きな昆虫を強制的に吸引することが困難であり、更に、捕獲袋が装置の内部に配置される構成となっているために、その大きさに制限があって、目詰まりしやすく、長時間使用が困難という問題がある。
【先行技術文献】
【特許文献】
【０００４】
【特許文献１】特許第５１１７９２２号公報
【特許文献２】特許第５１９３９５９号公報
【発明の概要】
【発明が解決しようとする課題】
【０００５】
上述したように、従来提案されている吸引方式の捕虫器の場合は、吸引性に劣り、吸引スリットよりも大きな昆虫を強制的に吸引することが困難で、また、捕獲袋が装置の内部に配置される構成のため、大きさに限度があって目詰まりしやすく、長時間使用が困難という問題があった。
【０００６】
そこで本発明は、そのような問題のない、即ち、シンプルな構成であって比較的廉価にて提供でき、しかも、吸引性に優れていて比較的大型の昆虫の強制吸引も可能であって捕獲能力が高く、また、捕獲袋が外部に配置される構成のためにその大きさに制限がなく、目詰まりしにくいものとなるために長寿命で経済的な吸引式捕虫器を提供することを課題とする。
【課題を解決するための手段】
【０００７】
上記課題を解決するための請求項１に係る発明は、シロッコファンを内蔵した本体ケースと、前記本体ケース上に立設されて前記本体ケース内と連通状態にされる吸引筒と、前記本体ケースの裏面に突設される吹出口に嵌め付けられる捕獲袋とから成り、前記吸引筒は、前記本体ケースの上面に形成される開口を囲んで上方に伸びる中空筒であって、その正面中央部に上下に伸びる凹陥部が形成されてそこに誘引蛍光灯が縦向きに取り付けられ、前記凹陥部の奥面に、前記誘引蛍光灯の両側面に沿うようにして多数の吸引スリットが、縦方向に適宜間隔置きに配設されていることを特徴とする吸引式捕虫器である。
【０００８】
好ましい実施形態においては、前記凹陥部は断面台形状に形成され、その前面側は鏡面効果のあるステンレス材とされる。
【０００９】
一実施形態においては、前記本体ケース又は吸引筒の適宜箇所に誘引音波発生器が設置される。
【発明の効果】
【００１０】
本発明は上述したとおりであって、シンプルな構成であって比較的廉価にて提供でき、吸引手段としてシロッコファンを用い、且つ、吸引スリットを誘引蛍光灯の両側面に沿うように、縦方向に適宜間隔置きに多数配設した構成であるため吸引性に優れ、吸引スリットよりも大きな昆虫の強制吸引が可能であって捕獲能力が高く、また、捕獲袋は外部に配置される構成のためにその大きさに制限がなく、目詰まりしにくいものとなり、長寿命で経済的という効果がある。
【図面の簡単な説明】
【００１１】
【図１】本発明に係る捕虫器の構成を示す正面図である。
【図２】本発明に係る捕虫器の構成を示す側面図である。
【図３】図１におけるＡ−Ａ線断面拡大図である。
【発明を実施するための形態】
【００１２】
本発明を実施するための形態について、図面を参照しつつ説明する。本発明に係る吸引式捕虫器は、シロッコファン２を内蔵した本体ケース１と、本体ケース１上に立設されて前記本体ケース内と連通状態にされる吸引筒３と、本体ケース１の裏面に突設される吹出口４に脱着可能に嵌め付けられるネット状の捕獲袋５とから成る。また、好ましい実施形態においては、本体ケース１又は吸引筒３の適宜箇所に、誘引音波発生器６が設置される。
【００１３】
吸引筒３は、本体ケース１の上面に形成される開口７を囲んで上方に伸びる中空筒であって、その正面側外側面中央部に、上下に伸びる凹陥部８が形成される。この凹陥部８は誘引蛍光灯９を縦方向に取り付けるための空間部で、吸引筒３の高さにもよるが、図示した例では、誘引蛍光灯９は縦方向に２本使用されている。
【００１４】
好ましくは吸引筒３の凹陥部８は、図示したように、横断面が台形状となるように形成され（例えば、上底と斜辺のなす角度は１２０度とされる。）、少なくともその誘引蛍光灯９を配置する前面側に鏡面効果のあるステンレス材が用いられ、誘引光が多方面に拡散するように配慮される。凹陥部８の奥面には、誘引蛍光灯９の両側面に沿うように、多数の吸引スリット１０が縦方向に適宜間隔置きに配設される。
【００１５】
本発明に係る吸引式捕虫器は、食品工場、医薬品工場、容器包材工場等のように、商品に昆虫類が混入することを回避する必要のある施設の任意の場所において使用されるものである。使用に際しては、スイッチを入れてシロッコファン２を作動させると共に、誘引蛍光灯９を点灯させ、また、誘引音波発生器６が設置される場合は、それを作動させる。
【００１６】
シロッコファン２が作動すると、吸引筒３内は強力な負圧状態となり、各吸引スリット１０に強い吸引力が発生する。特に、本発明における吸引スリット１０は、誘引蛍光灯９の両側面に沿うように多数、縦方向に適宜間隔置きに配設されているために、従来の１本の縦長スリットの場合に比較して、各吸引スリット１０に吸引力が集中するので、各吸引スリット１０に生ずる吸引力は強力なものとなる。
【００１７】
因みに、引用文献１に記載の発明に係る捕虫装置の場合の吸引力は、０．９立米／分であるに過ぎないのに対し、本発明に係る吸引式捕虫器の試作機における吸引力は２５．８立米／分であった。従って、吸引スリット１０よりも大きな昆虫類の吸引も可能となるのである。例えば、吸引スリット１０を、幅８ｍｍ、長さ７０ｍｍとした試作機によって、実際にその幅よりもかなり大きなトンボ類を吸引することができた。
【００１８】
かくして、誘引光及び誘引音波に引き寄せられて凹陥部８内に到来した昆虫類は、吸引スリット１０から吸引筒３内に強制吸引され、開口７を通って本体ケース１内に引き込まれ、更に、シロッコファン２及び吹出口４を経て捕獲袋５内に捕獲される。
【００１９】
捕獲袋５は、本体ケース１の裏面に突設される吹出口４に脱着可能に嵌め付けられ、外部に露出することになる。従って、捕獲袋５はサイズ上の制限がないために十分に大きなものとすることができ、それに伴って目詰まりしにくいものとなるので、長寿命で経済的なものとなる。また、捕獲袋５が外部に露出するため、捕獲袋５内の空気の流れに抵抗がなくなるので、吸引スリット１０における吸引力が助長され、捕獲能力が一層向上する。
【００２０】
本発明は上述したとおりであるが、その大きな特徴点をまとめると、以下のとおりとなる。
・吸引手段としてシロッコファン２を用い、また、吸引スリット１０は、誘引蛍光灯９の両側面に沿うように多数、縦方向に適宜間隔置きに穿設されるため、各吸引スリット１０に吸引力が集中して、各吸引スリット１０に強力な吸引力が生じ、捕獲能力が高いものとなる。
・捕獲袋５が外部に露出状態に設置される構成のため、そのサイズに制限がなく、目詰まりしにくいものとなり、長寿命で経済的であるだけでなく、捕獲袋５内の空気の流れに抵抗がなくなるので、吸引スリット１０における吸引力が助長され、捕獲能力が一層向上する。
・誘引面となる凹陥部を断面台形状に形成すると共に、その前面にステンレス材を配することにより、誘引光の多方面への拡散が可能となり、誘引効果の向上を図ることができる。
【００２１】
この発明をある程度詳細にその好ましい実施形態について説明してきたが、この発明の精神と範囲に反することなしに広範に異なる実施形態を構成することができることは言うまでもない。従って、この発明は添付請求の範囲において限定した以外はその特定の実施形態に制約されるものではない。
【符号の説明】
【００２２】
１      本体ケース  
２      シロッコファン
３      吸引筒
４      吹出口
５      捕獲袋
６      誘引音波発生器
７      開口
８      凹陥部
９      誘引蛍光灯
１０    吸引スリット
【図１】
2016202137.tif 000003
【図２】
2016202137.tif 000004
【図３】
2016202137.tif 000005